(57)【要約】【課題】本発明は、便器上面と便座との間に間隙を設ける簡易な手段を採用した臀部拭き取り装置を提供することを目的とする。【解決手段】臀部拭き取り装置１は、紙を取り付けることができる拭き取りアーム３と、拭き取りアーム３を駆動させる拭き取りアーム駆動部２と、便座と便器との間に設けられた嵩上げ部８とを備える。拭き取りアーム駆動部２は、嵩上げ部８に設けられたくり抜き部６から拭き取りアーム３を挿入して、拭き取り動作を行うこと。また、嵩高便座７ａを用いて、くり抜き部６ａを形成してもよい。【選択図】図２
2014094261.tif 000002
【特許請求の範囲】
【請求項１】
紙を取り付けることができる拭き取りアームと、
前記拭き取りアームを駆動させる拭き取りアーム駆動部と、
便座と便器との間に設けられた嵩上げ部とを備え、
前記拭き取りアーム駆動部は、前記嵩上げ部に設けられたくり抜き部分から前記拭き取りアームを挿入して、拭き取り動作を行うことを特徴とする、臀部拭き取り装置。
【請求項２】
紙を取り付けることができる拭き取りアームと、
前記拭き取りアームを駆動させる拭き取りアーム駆動部と、
嵩高い便座とを備え、
前記拭き取りアーム駆動部は、前記便座に設けられたくり抜き部分から前記拭き取りアームを挿入して、拭き取り動作を行うことを特徴とする、臀部拭き取り装置。
【請求項３】
前記くり抜き部分を閉じるための閉手段をさらに備えることを特徴とする、請求項１又は２に記載の臀部拭き取り装置。
【発明の詳細な説明】
【技術分野】
【０００１】
本発明は、臀部を紙で拭き取るための装置に関する。
【背景技術】
【０００２】
従来、臀部拭き取り装置としては、下記の特許文献１〜７に記載されている装置が知られていた。従来の臀部拭き取り装置においては、トイレットペーパーが取り付けられた拭き取りアームを、便座上面と便器との間隙に挿入して、臀部を拭き取ることが多かった。典型的には、便座昇降装置を用いて、便座を持ち上げて、便座上面と便器との間隙を生じさせていた。なお、従来の臀部拭き取り装置においては、便座昇降装置を用いない発明も開示されている。
【先行技術文献】
【特許文献】
【０００３】
【特許文献１】特開2012-172486号公報
【特許文献２】特開2011-062532号公報
【特許文献３】特開2011-144623号公報
【特許文献４】特開2011-143233号公報
【特許文献５】特開2011-200627号公報
【特許文献６】特開2009-263859号公報
【特許文献７】特開2009-061126号公報
【発明の概要】
【発明が解決しようとする課題】
【０００４】
さて、コストを抑えつつ、便器上面と便座との間に間隙を設ける簡易な手段の開発が望まれていた。そこで、本発明は、便器上面と便座との間に間隙を設ける簡易な手段を採用した臀部拭き取り装置を提供することを目的とする。
【課題を解決するための手段】
【０００５】
上記課題を解決するために、本発明は、以下のような特徴を有する。本発明は、紙を取り付けることができる拭き取りアームと、拭き取りアームを駆動させる拭き取りアーム駆動部と、便座と便器との間に設けられた嵩上げ部とを備える臀部拭き取り装置であって、拭き取りアーム駆動部は、嵩上げ部に設けられたくり抜き部分から拭き取りアームを挿入して、拭き取り動作を行うことを特徴とする。
【０００６】
また、本発明は、紙を取り付けることができる拭き取りアームと、拭き取りアームを駆動させる拭き取りアーム駆動部と、嵩高い便座とを備える臀部拭き取り装置であって、拭き取りアーム駆動部は、便座に設けられたくり抜き部分から拭き取りアームを挿入して、拭き取り動作を行うことを特徴とする。
【０００７】
好ましくは、くり抜き部分を閉じるための閉手段をさらに備えるとよい。
【発明の効果】
【０００８】
本発明によれば、嵩上げ部や嵩高い便座を用いて、くり抜き部を形成し、そこから、拭き取りアームを挿入して臀部を拭き取るようにする。したがって、コストを抑えつつ、便器上面と便座との間に間隙を設ける簡易な手段が提供されることとなる。また、閉手段を設けることによって、水分等がくり抜き部分や本体等に侵入して故障や汚れ、不衛生の原因となることを防止することができる。
【０００９】
本発明のこれら、及び他の目的、特徴、局面、効果は、添付図面と照合して、以下の詳細な説明から一層明らかになるであろう。
【図面の簡単な説明】
【００１０】
【図１】図１は、本発明の実施形態に係る臀部拭き取り装置１の機能的構成を示すブロック図である。
【図２】図２は、本実施形態における便座７、嵩上げ部８、及び便器９の概略を示す側面図である。
【図３】図３は、嵩上げ部８の斜視図である。
【図４】図４は、他の実施形態における便座７ａ及び便器９の概略を示す側面図である。
【図５】図５は、便座７ａの斜視図である。
【図６】図６は、閉手段１０を設けた嵩上げ部８又は便座７ａの斜視図である。
【図７】図７は、閉手段１０が上げられた状態の斜視図である。
【図８】図８は、拭き取りアーム３の一例を示す斜視図である。
【発明を実施するための形態】
【００１１】
図１は、本発明の実施形態に係る臀部拭き取り装置１の機能的構成を示すブロック図である。図１において、臀部拭き取り装置１は、拭き取りアーム駆動部２と、拭き取りアーム３と、操作部４と、紙取り付け部５とを備える。拭き取りアーム３は、紙取り付け部５によって、自動的又は半自動的に折りたたまれたり、巻き取られたりしたトイレットペーパーを取り付けることができる装置である。拭き取りアーム３には、適宜、トイレットペーパーが取り付けられた部分を、前後、左右、上下に動かすことができるように、各種アクチュエーターが設けられている。また、拭き取りアーム３には、トイレットペーパーを掴むためのアクチュエーターが設けられている。拭き取りアーム３のアクチュエーターは、拭き取りアーム駆動部２による制御によって、駆動する。操作部４は、拭き取りアーム駆動部２に対して、使用者が拭き取り等の動作を指示するための装置である。なお、紙取り付け部５を設けず、使用者自らがトイレットペーパーを拭き取りアーム３に取り付けるようにしてもよい。なお、このような臀部拭き取り装置１の基本的な機構は、特許文献１〜７によって開示された周知の機構であり、既に本出願人において製品化されている機構であるので、詳細に説明しなくとも実施可能である。臀部拭き取り装置１は、便器の側部や後方等に配置されている。臀部拭き取り装置１は、便座や便器と一体化されていてもよいし、別体であってもよい。
【００１２】
図２は、本実施形態における便座７、嵩上げ部８、及び便器９の概略を示す側面図である。本実施形態においては、便座７と便器９との間に、嵩上げ部８を設ける。嵩上げ部８は、便座７の上面を高くするために設けられるものであり、車いすから移乗しやすいようにしたり、足腰の弱い者が立ちやすくしやすくしたりするための器具としても機能する。たとえば、くり抜き部６を形成していない嵩上げ部８は、ＴＯＴＯ株式会社などによって、いわゆる補高便座として商品化されている（商品名：補高便座）。ただし、本発明では、嵩上げ部８は、いわゆる補高便座に限定されるものではない。たとえば、嵩上げ部として、複数の支柱状の器具が用いられてもよい。
【００１３】
図３は、嵩上げ部８の斜視図である。嵩上げ部８には、拭き取りアーム３が挿入可能な程度の大きさのくり抜き部６が形成されている。拭き取りアーム駆動部２は、くり抜き部６の間から拭き取りアーム３を挿入し、拭き取りアーム３を前後左右上下に動かして、臀部の水分や汚れを拭き取る。なお、好ましくは、便座７には、温水洗浄装置が付属されており、温水洗浄された状態で、拭き取りアーム３によって臀部が拭き取られるのがよいが、本発明を限定するものではない。
【００１４】
図４は、他の実施形態における便座７ａ及び便器９の概略を示す側面図である。図５は、便座７ａの斜視図である。図４及び図５に示すように、嵩上げ部８を用いる代わりに、通常の便座よりも嵩高い便座７ａを用いて、当該嵩高便座７ａにくり抜き部６ａを設け、くり抜き部６ａから拭き取りアーム３を挿入するようにして臀部が拭き取られてもよい。なお、くり抜き部６ａを形成していない嵩高便座７ａも、温水洗浄装置付き補高便座として、ＴＯＴＯ株式会社などによって、商品化されているが（商品名：ウォームレットＧタイプ）、これに限られるものではない。
【００１５】
なお、好ましくは、嵩上げ部８や嵩高便座７ａは、開閉可能なように、取り付けられているとよい。
【００１６】
なお、くり抜き部６及び６ａから水が臀部拭き取り装置１に侵入する可能性があるので、自動シャッター窓などを設けて、臀部拭き取り時以外は、閉じるようにしておいてもよい。このようなくり抜き部６及び６ａの閉手段の一例を図６及び図７に示す。図６に示すように、嵩上げ部８や嵩高便座７ａのくり抜き部６，６ａには、板状部材からなる閉手段１０が、ヒンジ部１１によって取り付けられている。ヒンジ部１１には、閉じる方向に力を加える弾性部材が設けられていているとよい。これにより、ヒンジ部１１は、自動的に閉じることとなる。ただし、ヒンジ部１１にこのような弾性部材が設けられていなくても、自重によって自動的に閉じることができる。
【００１７】
図７に示すように、トイレットペーパー１２が取り付けられた拭き取りアーム３は、くり抜き部６，６ａから露出する際、閉手段７を押し上げるようにして、露出する。拭き取りアーム駆動部２は、拭き取りが終わると、トイレットペーパー１２を便器内に落とし、拭き取りアーム３を元の位置に戻すように動作する。
【００１８】
図８に示すように、拭き取りアーム３には、たとえば、トイレットペーパー１２を挟むための凸状の開閉部３ｂを有する掴み先端部３ａがパイプ部３ｃの端部に設けられている場合がある。このような構造の拭き取りアーム３を用いる場合、開閉部３ｂを上に向けたままくり抜き部６，６ａに引っ込めたのでは、閉手段１０が掴み先端部３ａに引っかかってしまう。そのため、たとえば、掴み先端部３ａを下側に向けて、引っ込めるようにすれば、パイプ部３ｃが閉手段１０をスライドするようにして、くり抜き部６，６ａ内に入ることができる。そして、拭き取りアーム３を収納後、掴み先端部３ａの向きを適切な位置に調整すればよい。また、図７の例に限らず、拭き取りアーム３を露出させる際も、掴み先端部３ａを下側に向けるようにして露出させてもよい。
【００１９】
拭き取りアーム３の動作方法に関係なく、くり抜き部６，６ａを閉じる閉手段１１を設ければ、水分等がくり抜き部６，６ａや本体等に侵入して故障や汚れ、不衛生の原因となることを防止することができる。閉手段１１の構造は、上記の例に限定されるものではなく、電気モータ等で開閉する仕組みを有していてもよいし、上下にスライドして開閉する構造であってもよく、また、左右にスライドして開閉する構造であってもよい。
【００２０】
なお、くり抜き部６及び６ａの形状や大きさ等は、拭き取りアーム３の形状や移動経路に合わせて、適宜設計され、図面に示した形状や大きさ等に限定されるものではない。
【００２１】
このように、本発明の実施形態によれば、嵩上げ部８や嵩高便座７ａを用いて、くり抜き部６及び６ａを形成し、そこから、拭き取りアームを挿入して臀部を拭き取るようにする。したがって、コストを抑えつつ、便器上面と便座との間に間隙を設ける簡易な手段が提供されることとなる。
【００２２】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００２３】
本発明は、臀部拭き取り装置であり、産業上利用可能である。
【符号の説明】
【００２４】
１  臀部拭き取り装置
２  拭き取りアーム駆動部
３  拭き取りアーム
３ａ  掴み先端部
３ｂ  開閉部
３ｃ  パイプ部
４  操作部
５  紙取り付け部
６，６ａ  くり抜き部
７，７ａ  便座
８  嵩上げ部
９  便器
１０  閉手段
１１  ヒンジ部
１２  トイレットペーパー
【図１】
2014094261.tif 000003
【図２】
2014094261.tif 000004
【図３】
2014094261.tif 000005
【図４】
2014094261.tif 000006
【図５】
2014094261.tif 000007
【図６】
2014094261.tif 000008
【図７】
2014094261.tif 000009
【図８】
2014094261.tif 000010